【事件の表示】
　特許第６２８４２３７号発明「便器」の特許異議申立事件について、次のとおり決定する。
【結　論】
　特許第６２８４２３７号の明細書、特許請求の範囲を訂正請求書に添付された訂正明細書、特許請求の範囲のとおり、訂正後の請求項〔１−３〕について訂正することを認める。
　特許第６２８４２３７号の請求項１ないし３に係る特許を維持する。
【理　由】
第１　手続の経緯
　特許第６２８４２３７号の請求項１ないし３に係る特許についての出願は、平成２６年８月１８日に出願され、平成３０年２月９日にその特許権の設定登録がされ、同年２月２８日に特許掲載公報が発行された。その特許についての本件特許異議の申立ての経緯は、次のとおりである。
平成３０年　８月２８日　　：特許異議申立人　ＴＯＴＯ株式会社（以下
　　　　　　　　　　　　　「申立人」という。）による特許異議の申立て
平成３０年１１月２１日付け：取消理由通知（１１月２７日発送）
平成３１年　１月２３日　　：特許権者による意見書及び訂正請求書の提出
平成３１年　３月　６日　　：申立人による意見書の提出
平成３１年　３月２９日付け：取消理由通知＜決定の予告＞
　　　　　　　　　　　　　（４月８日発送）
令和　１年　６月　６日　　：特許権者による意見書及び訂正請求書の提出
令和　１年　７月１８日　　：申立人による意見書の提出
第２　訂正の適否についての判断
１　訂正の内容
　令和１年６月６日付け訂正請求（以下「本件訂正請求」という。）は、特許第６２８４２３７号の明細書、特許請求の範囲を、訂正請求書に添付した訂正明細書、特許請求の範囲のとおり、訂正後の請求項１〜３について訂正することを求めるものであって、その訂正の内容（以下「本件訂正」という。）は以下のとおりである。（なお、下線は訂正箇所を示す。）
　なお、本件訂正請求がされたことによって、平成３１年１月２３日付け訂正請求は、特許法第１２０条の５第７項の規定により、取り下げられたものとみなす。
（１）訂正事項１
　特許請求の範囲の請求項１に「前記曲面の上下方向の曲率半径が前側領域の左右中央で最大となり左右両側に向けて徐々に小さくなる連結部」と記載されているのを、「
前側領域において、
前記
り、溜水部よりも前方かつ左右側方における前記曲率半径が前記左右中央の曲率半径よりも小さい
（２）訂正事項２
　段落【０００６】に記載された「前記曲面の上下方向の曲率半径が前側領域の左右中央で最大となり左右両側に向けて徐々に小さくなる連結部」を「
前側領域において、
前記
り、溜水部よりも前方かつ左右側方における前記曲率半径が前記左右中央の曲率半径よりも小さい
（３）訂正事項３
　段落【０００７】に記載された「本発明の便器は、表面が外側に突出するように湾曲した曲面によって形成された連結部が立壁部と中間壁部とを連結している。」を「本発明の便器は
、連
連結部は、表面が外側に突出するように湾曲した曲面を形成し、下端部が内側に延びており、前側領域において、前記曲面の上下方向の曲率半径が前記前側領域の左右中央で最大となり左右両側に向けて徐々に小さくなり、溜水部よりも前方かつ左右側方における前記曲率半径が前記左右中央の曲率半径よりも小さい。
２　訂正の目的の適否、特許請求の範囲の拡張・変更の存否、及び新規事項の有無
（１）訂正事項１について
　ア　訂正の目的の適否について
　訂正事項１は、「連結部」の「曲面の上下方向の曲率半径」が、「前側領域の左右中央で最大となり左右両側に向けて徐々に小さくなる」ものについて、さらに、「前側領域において、」「溜水部よりも前方かつ左右側方における前記曲率半径が前記左右中央の曲率半径よりも小さい」との限定を加えるものである。よって、訂正事項１は、特許請求の範囲の減縮を目的とするものである。
　イ　特許請求の範囲の拡張・変更の存否について
　訂正事項１は、上記アのとおり、連結部の曲面の上下方向の曲率半径について限定を加える訂正であって、カテゴリーや対象、目的を変更するものではないから、実質上特許請求の範囲を拡張し、又は変更するものではない。
　ウ　新規事項の有無について
　訂正前の請求項１には、「前記曲面の上下方向の曲率半径が前側領域の左右中央で最大となり左右両側に向けて徐々に小さくなる連結部」と記載され、また、図２、図４及び図５をみると、前側領域において、溜水部よりも前方かつ左右側方における連結部の曲率半径が左右中央の連結部の曲率半径よりも小さいことが看取できる。よって、訂正事項１は、願書に添付した明細書、特許請求の範囲または図面（以下「明細書等」という。）に記載した事項の範囲内の訂正である。
（２）訂正事項２及び３について
　訂正事項２及び３は、上記訂正事項１に係る請求項１の訂正に伴い、特許請求の範囲の記載と明細書の記載との整合を図るための訂正であるから、明瞭でない記載の釈明を目的としたものであって、実質上特許請求の範囲を拡張し、又は変更するものではなく、明細書等に記載した事項の範囲内の訂正であることは明らかである。
３　一群の請求項について
　訂正前の請求項１〜３について、請求項２及び３は、直接的又は間接的に請求項１を引用するものであって、請求項１に係る訂正事項１に連動して訂正されるものである。
　したがって、訂正前の請求項１〜３に対応する訂正後の請求項１〜３は、特許法第１２０条の５第４項に規定する一群の請求項である。
４　小括
　以上のとおりであるから、本件訂正は、特許法第１２０条の５第２項ただし書第１号及び第３号に掲げる事項を目的とするものであり、かつ、同条第９項において準用する同法第１２６条第５項及び第６項の規定に適合する。
　したがって、明細書、特許請求の範囲を、訂正請求書に添付した訂正明細書、特許請求の範囲のとおり、訂正後の請求項〔１−３〕について訂正することを認める。
第３　訂正後の本件発明
　本件訂正請求により訂正された請求項１ないし３に係る発明（以下「本件発明１」等という。）は、訂正特許請求の範囲の請求項１ないし３に記載された次の事項により特定されるとおりのものである。
「【請求項１】
　上端部において上下方向に延びた表面を形成する立壁部と、
　この立壁部の下端に連続し、表面が外側に突出するように湾曲した曲面を形成し、下端部が内側に延びており、前側領域において、前記曲面の上下方向の曲率半径が前記前側領域の左右中央で最大となり左右両側に向けて徐々に小さくなり、溜水部よりも前方かつ左右側方における前記曲率半径が前記左右中央の曲率半径よりも小さい連結部と、
　この連結部の下端に連続し、内側に向けて傾斜した表面を形成する中間壁部とを有した便鉢を備えていることを特徴とする便器。
【請求項２】
　前記曲面の上下方向の弧の中点が前記便鉢の前側領域の左右中央で最も低くなることを特徴とする請求項１記載の便器。
【請求項３】
　前記上端部の表面が垂直又は上方に向けて外側に傾斜していることを特徴とする請求項１または２記載の便器。」
第４　取消理由通知に記載した取消理由について
１　取消理由の概要
　平成３１年１月２３日付け訂正請求により訂正された請求項１ないし３に係る特許に対して、当審が平成３１年３月２９日付けの取消理由通知（決定の予告）において特許権者に通知した取消理由の要旨は、次のとおりである。
　請求項１及び２に係る発明は、下記の刊行物１に記載された発明であるか、若しくは刊行物１に記載された発明に基いて、当業者が容易に発明をすることができたものであり、請求項３に係る発明は、刊行物１に記載された発明、及び刊行物３または刊行物４に記載された技術事項に基いて、当業者が容易に発明をすることができたものである。
　そうすると、請求項１〜３に係る特許は、特許法第１１３条第２号に該当し、取り消されるべきものである。
　なお、訂正前の請求項１ないし３に係る特許に対して、当審が平成３０年１１月２１日付けで特許権者に通知した取消理由の要旨は、上記理由に加えて、下記の刊行物２を主引用例として引用するものである。
〔刊行物〕
　刊行物１：国際公開第９８／１６６９６号（甲第１号証） 
　刊行物２：特開２０１４−８８７６５号公報（甲第２号証） 
　刊行物３：特開２００９−９７１７２号公報（甲第３号証） 
　刊行物４：特開２００５−９８００３号公報（本件特許明細書に記載された先行技術文献） 
２　刊行物の記載
（１）刊行物１（下線は、決定において付した。以下同様。）
　ア　「　　　　　　　　　　技術分野 
　この発明は、洗い落とし式、サイホン式、サイホンゼット式などの水洗便器に関するものである。 
　　　　　　　　　　　　　　　背景技術 
　従来、洋式の水洗便器本体としては、図２７（ａ）、図２８（ａ）に示すように、ボウル部１００の後部に給・排水部２００を配した構造のものが一般的によく知られている。 
　図２７（ａ）、図２８（ａ）に示すように、ボウル部１００には汚物受け面１１０が設けられていて、溜水部１２０の水面下に位置する溜水面１１１と、同溜水面１１１と連続して形成され、水面上に位置する乾燥面１１２とから構成されている。 
　また、ボウル部１００の上部開口の周縁には、一定の幅のリム部１３０が形成されている。」 
　（明細書１頁３〜１５行） 
　イ　「　　　　　　　　　　発明の開示 
　そこで、本発明者らは、従来の水洗便器が有する課題を改善すベく鋭意検討した結果、上記課題を解決することのできる水洗便器を見出して本発明を完成するに至った。 
　つまり、本発明は、便器製造において、汚物受け面とリムとの境部分に釉薬の塗布を確実に行え、また、通常の便器清掃も容易に行うことができる水洗便器を提供することを目的とする。 
　また、本発明は、上記特長に加えて、洗浄水がボウル部導水路から便器外に飛び出すことがない水洗便器を提供することを目的とする。」 
　（明細書２頁下から４行〜３頁５行） 
　ウ　「上記目的を達成するために、本発明では、ボウル部の汚物受け面と、同ボウル部の上部開口の周縁に形成したリム部内側壁面とを連続させて湾曲面を形成するとともに、同リム部内側壁面を洗浄水のボウル部導水路としたことを特徴とする水洗便器を提供している。したがって、この水洗便器は、汚物受け面とリムとの境が上方から見て死角となる窪みにならず、便器製造において、この境部分に釉薬の塗布を確実に行え、また、通常の便器清掃も容易となる。」 
　（明細書３頁２１〜２７行） 
　エ　「　　　　　　　図面の簡単な説明 
　図１は、第１実施例に係る水洗便器の縦断面図である。  
　図２は、第１実施例に係る水洗便器の平面図である。  
　図３は、図１のＩ−Ｉ線において片側を省略した断面図である。 
　図４は、図１のＩＩ−ＩＩ線において一部省略した断面図である。 
　図５は、第１実施例に係る水洗便器の変形例を示す説明図である。」 
　（明細書５頁４〜９行） 
　オ　「以下、本発明の実施例を図面に基づき具体的に説明する。  
（第１実施例）  
　図１〜図４に第１実施例に係る
水洗便器Ａ
前部がボウル部１を形成し、ボウル部１の後部に給・排水部２を配した
　
ボウル部１は、その内部空間Ｑの下部に洗浄水を貯溜するとともに、その前部に汚物を受けるための椀状に形成された汚物受け面１０を有し、同汚物受け面１０は、溜水部Ｗの水面下に没した溜水面１１と、溜水部Ｗの水面上に位置する乾燥面１２とからなり、同乾燥面１２は溜水面１１に連続する滑らかな段状をなす形状として
　また、
前記ボウル部１の上部開口１３の周縁には、一定の幅でリム部１４を形成し
　（明細書８頁下から４行〜９頁９行） 
　カ　「上記構成の水洗便器Ａにおいて、本発明の特徴となるのは、
ボウル部１の汚物受け面１０と、同ボウル部１の上部開口１３の周縁に形成したリム部内側壁面１５とを連続させて湾曲面を形成するとともに、同リム部内側壁面１５を洗浄水のボウル部導水路１６とし
　（明細書９頁２０〜２３行） 
　キ　「すなわち、オーバーハング面形状とした
ボウル部導水路１６は、
汚物受け面１０の乾燥面１２から連続して鋭角状に滑らかに立上がっており
　かかる構成により、ボウル部１の汚物受け面１０とリム部１４との境界部３が上方から見て死角となるような窪みにならず、便器製造において釉薬の塗布が確実に行われるので、汚れや雑菌の付着が防止され、しかも、通常の清掃の容易に行えるので衛生性が保たれる。」 
　（明細書９頁下から２行〜１０頁７行） 
　ク　「ところで、上記実施例に示した水洗便器Ａについては、図５〜図８に示した変形例が考えられる。すなわち、図５に示したものは、
ボウル部導水路１６と乾燥面１２との境界部３が、ボウル部１の前方（図中右方）に向かうにしたがって下り傾斜とし
　（明細書１１頁２０〜末行） 
　ケ　図１、図３及び図５は、以下のとおり。 
　図１ 
　図３ 
　図５ 
　コ　図１及び図３は、それぞれ、第１実施例に係る水洗便器の縦断面図、図１のＩ−Ｉ線において片側を省略した断面図であって（上記エ参照）、図１において、ボウル部導水路１６と乾燥面１２との直線で表された境界部３の右端付近は、溜水部Ｗよりも前側の領域に位置している、境界部３の左右中央といえ、また、図３において、同じく境界部３の右端付近は、溜水部Ｗよりも前側の領域より後方に位置している、ボウル部１の上部開口１３の左右方向略最大幅部分である境界部３の左右両側といえる。
　そして図１の境界部３の左右中央及び図３の境界部３の左右両側をみると、境界部３の左右中央の断面と左右両側の断面は、ともに、表面が外側に突出するように湾曲した曲面となっており、両曲面の上下方向の曲率半径は、該左右中央のものが該左右両側のものよりも大きいことが看取できる。
　サ　上記アないしコからみて、刊行物１には、次の発明（以下「刊行物１発明」という。）が記載されているものと認められる。 
「前部にボウル部１を形成し、ボウル部１の後部に給・排水部２を配した水洗便器Ａにおいて、 
　ボウル部１は、その内部空間Ｑの下部に洗浄水を貯留するとともに、その前部に汚物を受けるための椀状に形成された汚物受け面１０を有し、同汚物受け面１０は、溜水部Ｗの水面下に没した溜水面１１と、溜水部Ｗの水面上に位置する乾燥面１２からなり、同乾燥面１２は溜水面１１に連続する滑らかな段状をなす形状としており、 
　前記ボウル部１の上部開口１３の周縁には、一定の幅でリム部１４を形成し、 
　ボウル部１の汚物受け面１０と、同ボウル部１の上部開口１３の周縁に形成したリム部内側壁面１５とを連続させて湾曲面を形成するとともに、同リム部内側壁面１５を洗浄水のボウル部導水路１６とし、 
　ボウル部導水路１６は、汚物受け面１０の乾燥面１２から連続して鋭角状に滑らかに立上がっており、 
　ボウル部導水路１６と乾燥面１２との境界部３が、ボウル部１の前方に向かうにしたがって下り傾斜とし、 
　溜水部Ｗよりも前側の領域に位置している、境界部３の左右中央、及び溜水部Ｗよりも前側の領域より後方に位置している、ボウル部１の上部開口１３の左右方向略最大幅部分である境界部３の左右両側には、ともに、表面が外側に突出するように湾曲した曲面を形成し、両曲面の上下方向の曲率半径は、該左右中央のものが、該左右両側のものよりも大きくなっている、 
　水洗便器Ａ。」
（なお、上記「溜水部Ｗよりも前側の領域より後方に位置している、ボウル部１の上部開口１３の左右方向略最大幅部分である境界部３の左右両側」は、以下「最大左右両側」という。）
（２）刊行物２ 
　ア　「【技術分野】 
【０００１】 
　本発明は、洗い落とし式便器に関する。」 
　イ　「【０００７】 
　そこで、本発明は、従来技術の問題点を解決するためになされたものであり、節水化の要請を満たすと共に浮遊系汚物を確実に排出することができる洗い落とし式便器を提供することを目的としている。」 
　ウ　「【発明の効果】 
【００１５】 
　本発明の洗い落とし式便器によれば、節水化の要請を満たすと共に浮遊系汚物を確実に排出することができる。」 
　エ　「【００１７】 
　次に、図１乃至図７を参照して、本発明の一実施形態を説明する。ここで、図１は本発明の実施形態による洗い落とし式便器の側面断面図であり、図２は図１の洗い落とし式便器の平面図であり、図３は図２のIII−III線に沿って見た洗い落とし式便器の正面断面図であり、図４は図２のIV−IV線に沿って見た洗い落とし式便器の正面断面図であり、図５は図２のIV−IV線に沿って見た洗い落とし式便器の正面断面図であり、図６は図２のVI−VI線に沿って見た洗い落とし式便器の正面断面図であり、図７は図１の洗い落とし式便器を便器前方の斜め上方から見た斜視図である。 
【００１８】 
　先ず、図１乃至図６に示すように、本発明の実施形態による
洗い落とし式便器１
便器本体２と、
貯水タンク
を備え
　なお、本発明は、床置き式便器以外に壁掛け式の洗い落とし式便器にも適用可能であり、さらに、貯水タンクを用いず水道管に直結したフラッシュバルブを用いた洗い落とし式便器にも適用可能である。 
【００１９】 
　
便器本体２は、ボウル部８と、このボウル部８の底部から連通して延びる排水トラップ管路１０を有
　
ボウル部８は、汚物受け面１２と、この汚物受け面１２の上縁部に位置しその内周面の上部が内方へ向かって張り出しているリム部１４と、汚物受け面１２とリム部１４との間に形成された棚部１６
とから構成され
【００２０】 
　排水トラップ管路１０は、ボウル部８の底部に開口した入口１０ａから斜め上方に延び、最高点１０ｂを通った後、斜め下方に延びて、出口１０ｃに達し、図示しない排水管に接続されている。洗い落とし式便器１の溜水水位Ｌ１は、トラップ管路１０の最高点１０ｂの高さと等しくなる。 
【００２１】 
　ボウル部８の便器前方から見て左側に位置する棚部１６の少し後側には、洗浄水を吐水する第１吐水部である第１吐水口１８が形成されている。第１吐水口１８から便器前方方句に吐水された洗浄水は、ボウル部８において旋回流Ａ（図７参照）を形成するようになっている。 
　また、ボウル部８の右側に位置する棚部１６の後端側には、洗浄水を吐水する第２吐水口２０が形成されている。第２吐水口２０から便器方向に吐水された洗浄水は、第１吐水口１８から吐水された洗浄水と同一方向へ旋回する旋回流Ａを形成するようになっている。 
　さらに、詳細は後述するが、ボウル部８の便器前方から見て左側の汚物受け面１２の側面には第２吐水部である第３吐水口２２が形成されている。 
【００２２】 
　便器本体２の後部には、通水室２４が形成され、この通水室２４の後端側は貯水タンク（図示せず）に連通し、貯水タンクから洗浄水が供給されるようになっている。 
　また、この通水室２４の先端側には、第１吐水口１８に洗浄水を供給する第１通水路２６、第２吐水口２０に洗浄水を供給する第２通水路２８、さらに、第３吐水口２２に洗浄水を供給する第３通水路３０がそれぞれ設けられている。 
【００２３】 
　次に、ボウル部８の詳細構造を説明する。主に図１及び図２に示すように、
ボウル部８の汚物受け面１２には、ボウル部８の前方側から排水トラップ管路１０の入口１０ａに向けて延びる凹部３２が形成され
【００２４】 
　この汚物受け面１２に形成された凹部３２は、その便器前後方向に延びる中心軸３２ｄが、排水トラップ管路１０の入口１０ｃの便器前後方向に延びる中心軸１０ｄと、便器幅方向において、同軸となるように配置されている。 
【００２５】 
　また、凹部３２の底面３２ｃは、ボウル部８の前方側から排水トラップ管路１０の入口１０ａに向けて下り勾配となるように形成されている。 
　さらに、図１に示すように、
ボウル部８の汚物受け面１２の前方部１２ａでは、棚部１６を形成することなく、凹部３２の前方部とリム部１４とが連続して形成され
 
　オ　図１〜図４は、以下のとおり。 
　図１ 
　図２ 
　図３ 
　図４ 
　カ　上記オの図１〜図４は、それぞれ、本発明の実施形態による洗い落とし式便器の側面断面図、図１の洗い落とし式便器の平面図、図２のIII−III線に沿って見た洗い落とし式便器の正面断面図、図２のIV−IV線に沿って見た洗い落とし式便器の正面断面図であって（上記エ参照）、図１において、左端は、ボウル部８の底部に開口した入口１０ａよりも前側の領域の左右中央であって、そのリム部１４と凹部３２の底面３２ｃとの接続部分には、表面が外側に突出するように湾曲した曲面が形成され、また、図４において、その左右端は、前記前側の領域の左右両側であって、そのリム部１４と棚部１６との接続部分には、表面が外側に突出するように湾曲した曲面が形成され、前記前側の領域の左右中央の曲面の上下方向の曲率半径は、左右両側の曲面の上下方向の曲率半径よりも大きいことが見て取れる。 
　キ　上記アないしカからみて、刊行物２には次の発明（以下「刊行物２発明」という。）が記載されているものと認められる。 
「便器本体２と貯水タンクを備えた洗い落とし式便器１であって、 
　便器本体２は、ボウル部８と、このボウル部８の底部から連通して延びる排水トラップ管路１０を有し、 
　ボウル部８は、汚物受け面１２と、この汚物受け面１２の上縁部に位置しその内周面の上部が内方へ向かって張り出しているリム部１４と、汚物受け面１２とリム部１４との間に形成された棚部１６とから構成され、 
　ボウル部８の汚物受け面１２には、ボウル部８の前方側から排水トラップ管路１０の入口１０ａに向けて延びる凹部３２が形成され、 
　ボウル部８の汚物受け面１２の前方部１２ａでは、棚部１６を形成することなく、凹部３２の前方部とリム部１４とが連続して形成され、 
　入口１０ａよりも前側の領域の左右中央におけるリム部１４と凹部３２の底面３２ｃとの接続部分と、該前側の領域の左右両側のリム部１４と棚部１６との接続部分には、それぞれ、表面が外側に突出するように湾曲した曲面が形成されており、該前側の領域の左右中央の曲面の上下方向の曲率半径は、左右両側の曲面の上下方向の曲率半径よりも大きい、 
　洗い落とし式便器１。」 
（３）刊行物３ 
　ア　「【技術分野】 
【０００１】 
　本発明は、水洗便器に関し、具体的には、洗い落とし式、サイホン式、サイホンゼット式などの水洗便器に関する。」 
　イ　「【０００８】 
　本実施形態の水洗便器１０の上面１２の前方には、ボウル部２０とその上に設けられたリム部３０が開口し、上面１２の後方には、洗浄水を導入するための給水口４０が開口している。給水口４０の上に、例えば図示しないロータンクを付設し、このロータンクから給水口４０に洗浄水を導入することができる。あるいは、水道からフラッシュバルブや電磁開閉弁などを介して給水口４０に洗浄水を導入してもよい。 
【０００９】 
　ボウル部２０は、溜水水位２２よりも下方にあり、洗浄水を溜める溜水面２４と、溜水水位２２よりも上方において露出した露出面２６と、を有する。図３に表したように、溜水面２４の一部は下方に深く延在し、その後方には、排水路に連通する排水口６０が開口している。通常の状態において、溜水水位２２まで洗浄水が溜められた溜水部が形成されている。 
【００１０】 
　一方、リム部３０は、ボウル部２０と上面１２との間において、水洗便器の開口端を周回するリム面３２を有する。そして、リム部３０の後方の中央付近には、中央スリット開口５４が設けられ、その左右には、水平方向に偏平なスリット開口５６、５６がそれぞれ開口している。中央スリット開口５４の後方には、分配部５０が設けられている。」 
　ウ　「【００２８】 
　本実施形態の場合、図９に表したように、リム面３２は略垂直な面とされ、その下に連続するボウル部２０の露出面２６の上端が傾斜することにより、旋回流Ｃ１を下から支えて前方に向かわせる棚部２５として作用する。本実施形態によれば、スリット開口５６、５６から吐水された旋回流は、便器の前方端まで到達すればよく、それ以上周回する必要がないので、棚部２５の突出を少なくすることができる。例えば、棚部２５の上端における傾斜角度θを概ね４５度程度まで小さくすることも可能となる。つまり、棚部２５における凹凸や段差をへらし、ボウル面をより滑らかで連続的な曲面により形成することができる。ボウル面の凹凸や段差が減ると、汚れの付着や残留をより効果的に抑制でき、また例えば雑巾などでサッとむらなく拭き取ることも容易となり、清掃性もさらに向上させることができる。」 
（４）刊行物４ 
　ア　「【技術分野】 
【０００１】 
　本発明は、水洗便器に係り、特に、ボウル部に旋回するように洗浄水を供給して便器洗浄を行う水洗便器の水飛び出し防止構造に関する。」 
 
　イ　「【発明が解決しようとする課題】 
【０００４】 
　特許文献１記載の水洗便器においては、従来の便器に比べ、リム部の清掃性が格段に優れたものを提供できているが、水飛び防止のために設けたオーバーハング部１５２があるため棚部１５０を旋回するリム洗浄水ＲＳが外部へ飛び出すことが無い反面、このオーバーハング部１５２の裏側（ボウル部１２０と対向する側の面）に汚れが付着した場合、立ち位置によっては、見えにくく、その部分の掃除が不十分となる恐れがあった。 
　そのため、本発明は、上記問題を解決するためになされたもので、本発明の課題は、棚部に載せてリム洗浄水を旋回させる便器において、棚部に覆い被さるオーバーハング部をなくしてもリム洗浄水が外部へ飛び出すことの無い水洗便器を提供することを目的とする。」 
　ウ　「【発明の効果】 
【００１５】 
　便器のリム部のオーバーハングをなくして、清掃性を向上させることができるとともに、リム洗浄水が便器外へ飛び出すことがない便器を提供できる。」 
　エ　「【００１７】 
　この水洗便器Ａは陶器製であり、排泄物受け面であるボウル部１と、このボウル部１の開口縁を形成するリム部２と、ボウル部１の後方に設けられたタンク部３とから構成されており、この図１においては、タンク部３がリム部２と連続して一体的に成形されたいわゆるワンピース型の水洗便器である。 
　ボウル部１とリム部２との間には棚部４が形成されている。この棚部４はボウル部１の上方のリム部２に近い位置に形成された床面と平行に近い面であり、本実施形態においては、その面の傾斜角度である、リム部２からボウル部１へ向う面の接線が床面と水平な面と成す角度が、０度〜１５度の範囲である面を棚部４として定義する。 
【００１８】 
　便器洗浄時には、使用者が排水レバー５を回動することにより排水弁６が上方に移動し、タンク部３に貯められた洗浄水が洗浄水導水路７へ流れ込む。この洗浄水導水路７へ流れ込んだ洗浄水がリム導水路８とゼット導水路９とに分流し、リム導水路８に流れ込んだリム洗浄水Ｗｒは図３に示すようにリム吐水口１０から棚部４の上面に向けて噴出される。一方、ゼット導水路９に流れ込んだゼット洗浄水Ｗｚは、ゼット吐水口１１から溜水１２中に噴出され、溜水１２をトラップ部１３へ向けて押し出してサイホン作用を発生させ、汚物を排出させる。 
　なお、トラップ部１３と床面に設けられた排水管（図示せず）とは、水洗便器Ａとは別に形成された樹脂製の排水ソケット１４にて連結されており、この排水ソケット１４の流路内部には、サイホン作用の発生を促進させるために流路が屈曲形成されている。 
【００１９】 
　リム洗浄水Ｗｒの流れについて詳細に説明する。図３に示すように、リム吐水口１０から噴出されたリム洗浄水Ｗｒは、棚部４に乗って旋回する主リム洗浄水Ｗｒ−１と、旋回に伴い副リム洗浄水Ｗｒ−２とを構成し、このリム洗浄水Ｗｒによってボウル部１の付着した汚物やトイレットペーパーは溜水１２へ落とし込まれる。 
【００２０】 
　そして、水洗便器Ａのボウル部上縁を形成するリブ部２と棚部４とを繋ぐ縦面２ａは、垂直乃至は外側に広がる形状である。そのため、ボウル部１の内面は、棚部４及び縦面２ａを含めてボウル部１上方から死角となる部分が無くなる。そのため、ボウル部１からリム部２に至る水洗便器Ａ内面の掃除は非常に簡単となる。 
　しかし、棚部４の上方の縦面２ａが垂直乃至は外側に広がる形状であるため、棚部４を流れるリム洗浄水Ｗｒが縦面２ａに沿って上昇し易く、特に、図１〜３の右端である水洗便器Ａの前方端位置においては棚部４の曲率が最も小さく、そのため、リム洗浄水Ｗｒの縦面２ａに沿った上昇距離も大きくリム部２上面から飛び出し易いが、ボウル部１の上縁であるリム部２上面から棚部４の上面までの距離Ｈは、棚部４の全周に亘って６０ｍｍに形成されている。そのため、水洗便器Ａの前方端位置であっても、リム洗浄水Ｗｒがリム部２を乗り越えてボウル部１の外へ飛び出すことが防止されている。
　なお、棚部４のリム部上面からの距離Ｈとしては、溜水１２の上面よりも高い位置であって、便器洗浄時に溜水１２が旋回することによる水位上昇時にも容易に水没すること無いように、８０ｍｍ以内とすることが好ましい。
　従って、棚部の高さは、少なくともボウル部前端位置で６０ｍｍ〜８０ｍｍとするが、望ましくは、リム洗浄水が旋回方向に向かって大きく曲率を変化し始める位置を起点として、便器の対称位置までの領域に前記数値範囲の棚部の高さを形成する。」 
３　当審の判断
（１）本件発明１について
　ア　刊行物１を主引用例として検討
　（ア）対比 
　本件発明１と刊行物１発明を対比する。
 　　ａ　刊行物１発明の「リム部内側壁面１５」または「ボウル部導水路１６」、「境界部３」付近、「乾燥面１２」、「ボウル部１」、「溜水部Ｗよりも前側の領域」、「水洗便器Ａ」は、それぞれ本件発明１の「立壁部」、「連結部」、「中間壁部」、「便鉢」、「前側領域」、「便器」に相当する。
　　ｂ　そうすると、本件発明１と刊行物１発明とは、
「上端部において上下方向に延びた表面を形成する立壁部と、
　この立壁部の下端に連続し、下端部が内側に延びている連結部と、
　この連結部の下端に連続し、内側に向けて傾斜した表面を形成する中間壁部とを有した便鉢を備えていることを特徴とする便器。」で一致するものの、連結部が、本件発明１は、表面が外側に突出するように湾曲した曲面を形成し、前側領域において、前記曲面の上下方向の曲率半径が前記前側領域の左右中央で最大となり左右両側に向けて徐々に小さくなり、溜水部よりも前方かつ左右側方における前記曲率半径が前記左右中央の曲率半径よりも小さいのに対し、刊行物１発明は、前側領域において、前側領域の左右中央に、表面が外側に突出するように湾曲した曲面を形成しているものの、左右中央以外の位置に、本件発明１のような上下方向の曲率半径となるような、表面が外側に突出するように湾曲した曲面を備えているかどうか不明な点で相違している。（以下「相違点１」という。）。
　（イ）判断 
　上記相違点１について検討する。
　　ａ　刊行物１発明において、溜水部Ｗよりも前側の領域に位置している、境界部３の左右中央と、（溜水部Ｗよりも前側の領域より後方に位置している、ボウル部１の上部開口１３の左右方向略最大幅部分である境界部３の左右両側である）最大左右両側には、表面が外側に突出するように湾曲した曲面を備えており、該左右中央と該最大左右両側については、上下方向の曲率半径の対比はできるとしても、それらの間の部分については、表面が外側に突出するように湾曲した曲面を備えているか不明であるから、該それらの間の部分の上下方向の曲率がどの程度であるのかも不明といわざるを得ない。
　便器のボウル部内は、水の流れが急激に変化しないように、滑らかに徐々に変化する表面形状を採用することが適宜行われているものの、部分的に急激に変化する表面形状や、逆に変化のない一定の表面形状とすることを、必要に応じて採用することも考えられるから、刊行物１発明において、該左右中央から該左右最大両側のうち、その一部だけではなく、全ての部分を、表面が外側に突出するように湾曲した曲面を形成した上で、さらに、その上下方向の曲率半径を、該左右中央から外側に向けて徐々に小さい構成である蓋然性が高いとはいえず、また、当該構成を当業者が容易になし得たこととは認められない。
　そして、刊行物１発明において、該左右両側よりも該左右中央側に位置する前側の領域の左右両側についても、本件発明１のように、表面が外側に突出するように湾曲した曲面を形成した上で、さらに、その上下方向の曲率半径を、該左右中央から外側に向けて徐々に小さい構成である蓋然性が高いとはいえず、また、当該構成を当業者が容易になし得たこととは認められない。
　　ｂ　申立人は、令和１年７月１８日付け意見書において、
当審が通知した取消理由通知＜決定の予告＞の
「（ア）通常、便器のボウル部内は、水の流れが急激に変化しないように、滑らかに徐々に変化する表面形状を備えており、また、文献１発明において、境界部３の左右中央から最大左右両側にかけて、その構造上、何らかの顕著な形状の変化を伴うような部分は見当たらないことから、文献１発明は、左右中央から最大左右両側にかけて、滑らかに徐々に変化するような曲面となっており、曲面の上下方向の曲率半径が左右中央で最大となり最大左右両側に向けて徐々に小さくなる蓋然性が高いといえる。そして、文献１発明において、最大左右両側は溜水部Ｗよりも前側の領域より後方に位置していることからすると、溜水部Ｗよりも前側の領域における左右両側は、左右中央と最大左右両側との間に位置しているから、左右中央と最大左右両側との間の領域の一部である溜水部Ｗよりも前側の領域においても、曲面の上下方向の曲率半径が前記前側領域の左右中央で最大となり左右両側へ向けて徐々に小さくなる蓋然性が高いといえる。
（イ）仮に、上記の曲率半径が上記（ア）のとおりでなかっとしても、上記（ア）の前段で説示した事情を考慮すれば、文献１発明において、溜水部Ｗよりも前側の領域における曲面の上下方向の曲率半径を、前記前側領域の左右中央で最大とし左右両側へ向けて徐々に小さくすることは、当業者が容易になし得たことである。」と説示した点と同様である旨、主張している。
　しかしながら、上記ａで説示したとおり、該左右中央から該左右最大両側にかけて、全ての部分を、表面が外側に突出するように湾曲した曲面を形成した上で、さらに、その上下方向の曲率半径を、該左右中央から外側に向けて徐々に小さくすることは、当業者が容易になし得たこととは認められないから、申立人の主張は採用できない。
　イ　刊行物２を主引用例として検討 
　（ア）対比 
　　ａ　刊行物２発明の「リム部１４」、「リム部１４と凹部３２の底面３２ｃとの接続部分」又は「リム部１４と棚部１６との接続部分」、「凹部３２の底面３２ｃ」又は「棚部１６」、「ボウル部８」は、それぞれ本件発明１の「立壁部」、「連結部」、「中間壁部」、「便鉢」に相当する。 
  
　　ｂ　そうすると、本件発明１と刊行物２発明とは、
「上端部において上下方向に延びた表面を形成する立壁部と、
　この立壁部の下端に連続し、下端部が内側に延びている連結部と、
　この連結部の下端に連続し、内側に向けて傾斜した表面を形成する中間壁部とを有した便鉢を備えていることを特徴とする便器。」で一致するものの、連結部が、本件発明１は、表面が外側に突出するように湾曲した曲面を形成し、前側領域において、前記曲面の上下方向の曲率半径が前記前側領域の左右中央で最大となり左右両側に向けて徐々に小さくなり、溜水部よりも前方かつ左右側方における前記曲率半径が前記左右中央の曲率半径よりも小さいのに対し、刊行物２発明は、前側領域において、前側領域の左右中央と左右両側に、表面が外側に突出するように湾曲した曲面を形成しているものの、左右中央から左右両側にかけて、本件発明１のような上下方向の曲率半径となるような、表面が外側に突出するように湾曲した曲面を備えているかどうか不明な点で相違している（以下「相違点２」という。）。
　（イ）判断 
　上記相違点２について検討する。
　刊行物２発明において、上下方向の曲率半径は、前側領域の左右中央の曲面の上下方向のものと、左右両側の曲面の上下方向のものとを比較することはできるものの、それらの間の部分がどのような形状であるのかは不明である。
　そして、刊行物２発明の入口１０ａより前側の領域において、左右中央における接続部分は、リム部１４と凹部３２の底面３２ｃとで形成されているのに対し、左右両側の接続部分は、リム部１４と棚部１６により形成され、凹部３２の底面３２ｃは棚部１６とは別の面であるから、左右中央における接続部分と左右両側の接続部分とは、それらの曲面を構成する面が相違している。
　よって、便器のボウル部内は、水の流れが急激に変化しないように、滑らかに徐々に変化する表面形状を採用することが適宜行われているとしても、刊行物２発明において、左右中央と左右両側を構成する面が相違する以上、両曲面間が滑らかに徐々に変化する表面形状である蓋然性が高いとはいえないし、さらに当業者が該表面形状を採用することが容易になし得たこととも認められない。
　ウ　小括
　以上のとおりであるから、本件発明１は、刊行物１または刊行物２に記載された発明ではない。また、上記相違点１及び２に係る構成は、刊行物３および刊行物４にも記載されていないから、本件発明１は、刊行物１ないし刊行物４に記載の発明に基いて、当業者が容易に発明をすることができたものでもない。
（２）請求項２、３に係る発明について 
　本件発明２は、本件発明１に対し、さらに「前記曲面の上下方向の弧の中点が前記便鉢の前側領域の左右中央で最も低くなる」という技術事項を追加したものであって、本件発明３は、本件発明１または２に対し、「前記上端部の表面が垂直又は上方に向けて外側に傾斜している」という技術事項を追加したものである。
　そうすると、上記（１）に記載した理由と同様の理由により、本件発明２、３は、刊行物１または刊行物２に記載された発明ではなく、さらに、刊行物１ないし刊行物４に記載された発明に基いて、当業者が容易に発明をすることができたものでもない。
第５　むすび
　したがって、取消理由通知に記載した取消理由及び特許異議申立書に記載した特許異議申立理由によっては、本件発明１ないし３に係る特許を取り消すことはできない。
　また、他に、本件発明１ないし３に係る特許を取り消すべき理由を発見しない。
　よって、結論のとおり決定する。
【異議決定日】
令和１年８月２２日（２０１９．８．２２）
【訂正の要旨】
審決（決定）の【理由】欄参照。
（５４）【発明の名称】
便器
　【技術分野】
　【０００１】
　本発明は便器に関するものである。
　【背景技術】
　【０００２】
　特許文献１は従来の便器を開示している。この便器は、立壁部、連結部、及び中間壁部を備えている。立壁部はリムの内周から内側の下方へ延びている。連結部は立壁部の下端から内側に向かって外側に突出するように湾曲した曲面によって形成され下端部が内側を向いて延びている。中間壁部は連結部の下端から内側に向かって水平方向に延びている。また、中間壁部は立壁部の上端縁と所定の距離を離して設けられている。このため、この便器は、中間壁部を覆うように立壁部の上端部を内側に向けて迫り出すオーバーハング部を形成しなくても、中間壁部の表面を流れる洗浄水が便器の外に飛び出すことを抑えることができる。また、この便器は、オーバーハング部を有していないため、便鉢の内側全体を一目で見渡すことができ、便鉢の表面の汚れを視認しやすく、便鉢の清掃を容易に行うことができる。
　【先行技術文献】
　【特許文献】
　【０００３】
　【特許文献１】特開２００５−９８００３号公報
　【発明の概要】
　【発明が解決しようとする課題】
　【０００４】
　しかし、特許文献１の便器は、連結部が急激に湾曲して内側に向きを変えて延びている。このため、この便器は、連結部に小便がぶつかった場合、立壁部の下端部に滞留するおそれがある。立壁部の下端部に滞留した小便にさらに小便がぶつかると、飛沫が発生し便鉢外へ飛散するおそれがある。
　【０００５】
　本発明は、上記従来の実情に鑑みてなされたものであって、小便の飛沫の発生を抑えることができる便器を提供することを解決すべき課題としている。
　【課題を解決するための手段】
　【０００６】
　本発明の便器は、
　上端部において上下方向に延びた表面を形成する立壁部と、
　この立壁部の下端に連続し、表面が外側に突出するように湾曲した曲面を形成し、下端部が内側に延びており、
前側領域において、
り、溜水部よりも前方かつ左右側方における前記曲率半径が前記左右中央の曲率半径よりも小さい
　この連結部の下端に連続し、内側に向けて傾斜した表面を形成する中間壁部とを有した便鉢を備えていることを特徴とする。
　【０００７】
　本発明の便器は
、連
連結部は、表面が外側に突出するように湾曲した曲面を形成し、下端部が内側に延びており、前側領域において、前記曲面の上下方向の曲率半径が前側領域の左右中央で最大となり左右両側に向けて徐々に小さくなり、溜水部よりも前方かつ左右側方における曲率半径が左右中央の曲率半径よりも小さい。
　【０００８】
　したがって、本発明の便器は、小便の飛沫の発生を抑えることができる。
　【図面の簡単な説明】
　【０００９】
　【図１】実施例の便器の斜視図である。
　【図２】実施例の便器を示す上面図である。
　【図３】実施例の便器の左右中央断面図である。
　【図４】図２における矢視Ａ−Ａ部の断面図である。
　【図５】図２における矢視Ｂ−Ｂ部の断面図である。
　【図６】図２における矢視Ｃ−Ｃ部の断面図である。
　【図７】図２における矢視Ｄ−Ｄ部の断面図である。
　【発明を実施するための形態】
　【００１０】
　本発明における好ましい実施の形態を説明する。
　【００１１】
　本発明の便器は、前記曲面の上下方向の弧の中点が前記便鉢の前側領域の左右中央で最も低くなり得る。この場合、便鉢の前側領域の左右中央における連結部が、直接的に小便がぶつかることが想定される部分であり、この部分の上下方向の弧の中点を最も低くし、便鉢の上端縁との間隔を大きくすることによって、小便の飛沫が便鉢外へ飛散し難くすることができる。
　【００１２】
　本発明の便器は、前記上端部の表面が垂直又は上方に向けて外側に僅かに傾斜し得る。この場合、この便器は、便鉢の表面全体を一目で見渡すことができる。このため、この便器は、便鉢の表面の汚れを視認しやすく、便鉢の清掃を容易に行うことができる。
　【００１３】
　次に、本発明の便器を具体化した実施例について、図面を参照しつつ説明する。
　【００１４】
＜実施例＞
　実施例の便器は、図１〜図４に示すように、便鉢１０、排水路３０、リム１１、周囲壁１２、支持壁１７、及び上面部５０を備えている。
　【００１５】
　便鉢１０は、図１、図２、及び図３に示すように、椀状をなしている。この便鉢１０は、第一立壁部１３（立壁部）、連結部２３、中間壁部１４、及び第二立壁部１５を有している。第一立壁部１３は、表面が上下方向に延びており外側に僅かに傾斜している（上下は図３における左側右側。以下同じ。）。連結部２３は、表面が第一立壁部１３の下端に連続し、外側に突出するように湾曲した曲面２３Ａが形成され下端部が内側に向かい延びている。中間壁部１４は、表面が連結部２３の下端に連続して内側に向けて下方に僅かに傾斜して延びている。第二立壁部１５は、表面が中間壁部１４の下端部から下方に向けて延びており内側に僅かに傾斜している。つまり、便鉢１０の上端部は表面が上方に向けて外側に僅かに傾斜している。また、便鉢１０の上端部と中間部との間は表面が外側に突出するように湾曲した曲面２３Ａである。また、便鉢１０の中間部は表面が内側に向けて下方に僅かに傾斜している。さらに、便鉢１０の下端部は表面が下方に向けて内側に僅かに傾斜している。
　【００１６】
　連結部２３の曲面２３Ａは、図１〜図３に示すように、上下方向の曲率半径が便鉢１０の前側領域２４の左右中央で最も大きくなっている（左右は図１における左側右側。以下同じ。）。
　【００１７】
　また、連結部２３の曲面２３Ａは、図３及び図４に示すように、上下方向の弧の中点２５が便鉢１０の前側領域２４の左右中央で最も低くなっている（前は図３における上側。以下同じ。）。
　【００１８】
　排水路３０は、図３に示すように、便鉢１０の下流側に連通している。この排水路３０は、第一下降流路３１、上昇流路３２、及び第二下降流路３３を有している。第一下降流路３１は、便鉢１０の下流側に連通して便鉢１０の後方に向けて下降して延びている（後は図３における下側。以下同じ。）。上昇流路３２は、第一下降流路３１の下流側に連通して便鉢１０の後方に向けて上昇して延びている。第二下降流路３３は、上昇流路３２の下流側に連通してほぼ垂直に下方に向けて延びている。第二下降流路３３は、下流側の開口部３４が下向きに開口している。この便器は、便鉢１０の下端部と、第一下降流路３１と、上昇流路３２とによって溜水部１６を形成している。
　【００１９】
　便鉢１０は、図２に示すように、上方から見た平面視において、表面の開口形状が前端部の曲率半径が後端部の曲率半径より小さい卵型形状をなしている。便鉢１０は、図２及び図７に示すように、第一立壁部１３の左側の後端部で上下方向の中間に吐水口１８が設けられている。吐水口１８は、外形形状が横方向に長いほぼ長円形状である。また、吐水口１８は下端縁が右側より左側が高く形成されている。
　【００２０】
　リム１１は、便鉢１０の上端部に連続して前方及び左右方向の外側にほぼ水平に拡がっている。リム１１は、図１及び図２に示すように、前端部から左右領域２６の中央部に向けて徐々に幅を狭く形成されている。つまり、この便器は、上方から見た平面視において、便器の左右の幅を拡げることなく便鉢１０の左右領域２６の上端部の周方向の曲率半径を小さくし、便鉢１０の前側領域２４の上端部の周方向の曲率半径を大きくすることができる。これに伴い、この便器は、便鉢１０の前側領域２４における連結部２３の周方向の曲率半径も大きくすることができる。この形状によっても、この便器は、連結部２３の前端部の左右中央部の曲面２３Ａに小便がぶつかった場合、小便が左右方向に拡がって流れやすくすることができる。つまり、この便器は、第１立壁部１３と連結部２３との境界部分に小便が滞留することを抑えることにより小便の飛沫が便鉢１０外に飛散することを抑えることができる。
　【００２１】
　周囲壁１２は、図３、図４、図５、及び図６に示すように、リム１１の外周端部に連続して下方に延びている。この周囲壁１２は便鉢１０の前及び左右を覆っている。この周囲壁１２はリム１１の外周端部から下方に向けて内側に向けて僅かに凹むように湾曲している。周囲壁１２は下端面が床面に設置される。支持壁１７は、図３に示すように、便鉢１０の下部と周囲壁１２の下端部１９の前側とを繋いで形成されている。
　【００２２】
　上面部５０は、図１、図２、及び図３に示すように、便鉢１０の上端部に連続して後方向に拡がっている。この便器は、上面部５０の後方に便鉢１０に供給する洗浄水を貯留する洗浄タンク（図示せず）を載置する洗浄タンク載置部５１を有している。この便器は、上面部５０の下方において上面部と間を離して下面部５４が設けられている。
　【００２３】
　この便器は、図３に示すように、第一立壁部１３、上面部５０、下面部５４、及び洗浄タンク載置部５１の前壁５１Ａで囲まれた給水空間５５を形成している。この給水空間５５は、便器の後部の上端部に設けられている。給水空間５５は、洗浄タンク載置部５１の前壁５１Ａに設けられた給水孔５６を介して洗浄タンク載置部５１に連通している。また、この給水空間５５は、吐水口１８を介して便鉢１０内に連通している。この便器は、洗浄タンク載置部５１側から給水口５６にディストリビューター（図示せず）が挿通される。
　【００２４】
　上面部５０は、図１及び図２に示すように、垂直方向に貫設された一対の貫通孔５７を有している。これら貫通孔５７は便器の左右中心線に対して対称位置に貫設されている。これら貫通孔５７は上面部５０から下面部５４まで貫通している。これら貫通孔５７は給水空間５５と隔てられている。これら貫通孔５７は便座装置を固定する取付具（図示せず）が挿通される。
　【００２５】
　この便器は、図３〜図７に示すように、便鉢１０、リム１１、周囲壁１２、及び支持壁１７で囲まれた空洞部２０を有している。また、この便器は、図１に示すように、後部の下端部に一対のフランジ部５８を備えている。これらフランジ部５８は、便器の左右中心線に対して対称位置に設けられている。これらフランジ部５８は、それぞれの中間部に貫通穴５９が設けられている。これら貫通穴５９は、便器の左右中心線に対して対称位置に貫設されている。これら貫通穴５９は、フランジ部５８のそれぞれに垂直方向に貫設されている。これら貫通穴５９は、便器を床面に設置する際に固定する取付具（図示せず）が挿通される。
　【００２６】
　このような構成を有する便器は、表面が外側に突出するように湾曲した曲面２３Ａによって形成された連結部２３が第一立壁部１３と中間壁部１４とを連結している。便鉢１０の前側領域２４の左右中央部における連結部２３が、直接的に小便がぶつかることが想定される部分である。この部分が上下方向の曲率半径が最大となる曲面によって形成されている。このため、この便器は、小便が便鉢１０の前側領域２４の左右中央部の曲面２３Ａにぶつかった場合、この部分の上下方向の曲率半径が大きいため、小便を流れやすくすることができる。つまり、この便器は、第一立壁部１３と連結部２３との境界部分に小便が滞留することを抑えることができる。
　【００２７】
　したがって、本発明の便器は、小便の飛沫の発生を抑えることができる。
　【００２８】
　また、実施例の便器は、曲面２３Ａの上下方向の弧の中点２５が便鉢１０の前側領域２４の左右中央で最も低くなっている。これにより、この便器は、便鉢１０の前側領域２４の左右中央部における連結部２３の上下方向の弧の中点２５を最も低くし、便鉢１０の上端縁との間隔を大きくすることによって、小便の飛沫が便鉢１０外へ飛散し難くしている。
　【００２９】
　また、実施例の便器は、便鉢１０の上端部の表面が上方に向けて外側に僅かに傾斜している。このため、この便器は、便鉢１０の表面全体を一目で見渡すことができる。このため、この便器は、便鉢１０の表面の汚れを視認しやすく、便鉢１０の清掃を容易に行うことができる。
　【００３０】
　本発明は上記記述及び図面によって説明した実施例に限定されるものではなく、例えば次のような実施例も本発明の技術的範囲に含まれる。
　（１）実施例では、洗浄水の供給にディストリビューターを用いたが、水道管を直結する方法等でもよい。
　（２）実施例では、便鉢の上端部の表面が上方に向けて外側に僅かに傾斜しているが、垂直又は上方に向けて内側に傾斜していてもよい。
　（３）実施例では、吐水口が便鉢の左側の後端部に１箇所設けてあったが、複数設けてもよい。
　（４）実施例では、水洗式であったが、水洗式でなくてもよい。
　（５）実施例では、便器の左右の幅を拡げることなく、便鉢の左右端部の曲率半径を大きくしているが、便器の左右の幅を拡げてもよい。
　（６）実施例では、排水路の開口部が下向きに開口しているが、後ろ向きに開口していてもよい。
　【符号の説明】
　【００３１】
　１０…便鉢
　１３…第一立壁部（立壁部）
　１４…中間壁部
　２３…連結部
　２３Ａ…曲面
　２４…前側領域
　２５…弧の中点
（５７）【特許請求の範囲】
　【請求項１】
　上端部において上下方向に延びた表面を形成する立壁部と、
　この立壁部の下端に連続し、表面が外側に突出するように湾曲した曲面を形成し、下端部が内側に延びており、
前側領域において、
前記
り、溜水部よりも前方かつ左右側方における前記曲率半径が前記左右中央の曲率半径よりも小さい
　この連結部の下端に連続し、内側に向けて傾斜した表面を形成する中間壁部とを有した便鉢を備えていることを特徴とする便器。
　【請求項２】
　前記曲面の上下方向の弧の中点が前記便鉢の前側領域の左右中央で最も低くなることを特徴とする請求項１記載の便器。
　【請求項３】
　前記上端部の表面が垂直又は上方に向けて外側に傾斜していることを特徴とする請求項１または２記載の便器。